(57)【要約】      （修正有）【課題】床下収納ボックス以上の物品を収納可能な台車装置を提供する。【解決手段】床下を有効に活用し床下の床束と床束との間の空間に台車を数多く設けることが出来る。又、床面の開口部の蓋を開閉し床板と台車の間の空間を有し開口部から有効に物品の長い物等に収納を活用出来る又、非常用品としても買い求めた物品等もそのまま台車に数多く載置も出来る長期間保存貯蔵もタイムカプセルなども有効的である。又、長期間の建物老朽化、地震後の戸建住宅の床面の開口部から出入れし床下の構造物の点検、修繕等を行うように設けた。又、戸建住宅の完成後でも床下大型収納電動手動台車装置は取り付け可能に設けた。【選択図】図１
0003170851.tif 000002
【実用新案登録請求の範囲】
【請求項１】
床下に設けられた大型収納庫の底部のコンクリート表面にレールを設け、電動駆動の車輪を収納用の箱の底部に取り付けて成る台車を前記レールに沿って走行するよう設けて成ることを特徴とする床下大型収納電動手動台車装置。
【請求項２】
前記台車は制御手段により制御される単相誘導モータを有し、前記台車は前部及び後部にリミットスイッチを有することを特徴とする請求項１記載の床下大型収納電動手動台車装置。
【請求項３】
前記台車端に前記台車を手動で移動させるための索体と索体支持車、支持輪を設けたことを特徴とする請求項１記載の床下大型収納電動手動台車装置。
【考案の詳細な説明】
【技術分野】
【０００１】本考案は床下大型収納電動手動台車装置に関わるものである。
【背景技術】
【０００２】  従来の床下収納ボックスは大きさに限られた物品収納の為に不便である。
【先行技術文献】
【特許文献】
【０００３】
【特許文献１】特許公開２００７−５１４７７０号公報
【特許文献２】特許公開２００３−３１４０５１号公報
【特許文献３】特許公開２０００−１９８０号公報
【考案の概要】
【考案が解決しようとする課題】
【０００４】  しかし、これでは床下収納ボックス以上の物品を収納不可能で不便を生じるのである。
【課題を解決するための手段】
【０００５】  床下に設けられた大型収納庫の底部のコンクリート表面にレールを設け、電動駆動の車輪を収納用の箱の底部に取り付けて成る台車を前記レールに沿って走行するよう設けて成る。【０００６】  前記台車は制御手段により制御される単相誘導モータを有し、前記台車は前部及び後部にリミットスイッチを有する。【０００７】  前記台車端に前記台車を手動で移動させるための索体と索体支持車、支持輪を設けた。
【考案の効果】
【０００８】  床下を有効に活用し床下の床束と床束の間の空間を利用し台車を数多く設けることが出来る又、床面の開口部の蓋を開閉し床板と台車との間の空間を有し開口部から有効に物品の長い物等に活用を出来る又、非常品用としても買い求めた物品等もそのまま台車に数多く載置も出来る長期間保存貯蔵も可能で又、タイムカプセルなども有効的である又、長期間の建物老朽化又、地震後の戸建住宅の床面の開口部から出入れし床下の構造物の点検又は、修繕等を行うように設けた又、戸建住宅完成後でも床下大型収納電動手動台車装置の取り付けは可能である。
【図面の簡単な説明】
【０００９】
【図１】  本考案に係わる床下大型収納電動手動台車装置の床下に設けた正面図てある。
【図２】  本考案に係わる床下大型収納電動手動台車装置の台車縁に枠の取り付け取り外しの斜視図である。
【図３】  本考案に係わる大型収納電動手動台車装置の床面の物品出し入れの蓋の断面図ａと蓋の平面図ｂである。
【図４】  本考案に係わる床下大型収納電動手動台車装置の床下に設けた平面図である。
【図５】  本考案に係わる床下大型収納電動手動台車装置の台車にフック、リミットスイチの平面図である
【図６】  本考案に係わる床下大型収納電動手動台車装置の室内床面の開閉蓋の平面図である。
【図７】  本考案に係わる床下大型収納電動手動台車装置の台車枠の取り外した正面図である。
【図８】  本考案に係わる床下大型収納電動手動台車装置のコンクリート表面にレールの取り付けとレール側面に沿って台車走行の斜視図である。
【考案を実施するための形態】
【００１０】  本考案に関わる床下大型収納電動手動台車装置は図１，２，３，４，５，６，７，８に示すように床下の基礎７の滑らかなコンクリート表面７ａと床束１０と床束１０ｂとの間の空間を利用し、室内の中央床面１４に開口部１５を設け開口部１５の真下にレール１，１ａを設けレール１，１ａ側面１ｆ，１ｇに沿って台車２を走行を設け又、台車２の縁に管２ａ，２ｂ，２ｃ，２ｄ，２ｅ，２ｆ，２ｇ，２ｈ，２ｉ，２ｊ，２ｋ，２ｌを設けその管に枠３、３ａ，３ｂ，３ｃ，３ｄ．３ｅを挿入し取り付け取り外しを設けた。
【００１１】  台車２を電動で動かす電源供給より構成され台車２に単相誘導モータを設け台車２を制御手段で移動を設け又、台車２を単相誘導モータ６ｇをスイッチ操作で正回転又は、逆回転を実施し台車２が移動走行し目的以上を行き過ぎると台車２の前部及び後部にリミットスイッチｓ１，ｓ１ａ，ｓ２，ｓ２ａが設けられ障害物に当たるとリミットスイッチｓ１，ｓ１ａ，ｓ２，ｓ２ａが作動し停止と成る又、台車２停止の状態で復帰をさせるにはスイッチ逆回転又は、正回転操作を行うと正常に復帰と成る、又、リミットスイッチｓ１，ｓ１ａ，ｓ２，ｓ２ａの配線６ｈは正回転操作時に巻き取りその反対側の配線６ｉは巻き戻しと成る。又、台車２の載置物品を出し入れの際に床面１４の開口部１５の蓋１６を開閉しスイッチ操作で台車２を移動し載置物品で停止スイッチ操作をすることによって載置物品出し入れを設けた。
【００１２】  台車２を手動で移動を設け、台車２端フック４に索体５を取り付け索体５を支持する支持車５ａ，５ｂ，５ｃ，５ｄと支持輪５ｅ，５ｆ，５ｇ，５ｈを設け索体５を支持車５ａ，５ｂ，５ｃ，５ｄと支持輪５ｅ，５ｆ，５ｇ，５ｈを通し索体５を余裕５ｉに設け台車２端フック４ａに取り付けた。
【００１３】  台車２の載置物品出し入れの際に床面１４の開口部１５の蓋１６を開閉し索体５を引くと台車２が索体５に従って移動し開口部１５で載置を止め物品出し入れを設けた。
【符号の説明】
【００１４】    １  レール      １ａ  レール
１ｂ  ボルト      １ｃ  ボルト    １ｄ  ボルト    １ｅ  ボルト
１ｆ  側面        １ｇ  側面        ２  台車      ２ａ  管
２ｂ  管          ２ｃ  管        ２ｄ  管        ２ｅ  管
２ｆ  管          ２ｇ  管        ２ｈ  管        ２ｉ  管
２ｊ  管          ２ｋ  管        ２ｌ  管          ３  枠
３ａ  枠          ３ｂ  枠        ３ｃ  枠        ３ｄ  枠
３ｅ  枠            ４  フック    ４ａ  フック      ５  索体
５ａ  支持車      ５ｂ  支持車    ５ｃ  支持車    ５ｄ  支持車
５ｅ  支持輪      ５ｆ  支持輪    ５ｇ  支持輪    ５ｈ  支持輪
５ｉ  索体の余裕    ６  車輪      ６ａ  車輪      ６ｂ  車輪
６ｃ  車輪        ６ｄ  車輪      ６ｅ  車輪      ６ｆ  車輪回転棒
６ｇ  単相誘導モータ              ６ｈ  配線      ６ｉ  配線
７  基礎        ７ａ  コンクリート表面            ８  土台
８ａ  土台          ９  大引      ９ａ  大引      １０  床束
１０ａ  床束      １０ｂ  床束    １０ｃ  床束      １１  根太
１１ａ  根太      １１ｂ  根太    １１ｃ  根太    １１ｄ  根太
１１ｅ  根太        １２  壁      １２ａ  壁        １３  下地材
１４  床面      １４ａ  床板      １５  開口部    １６  蓋
１６ａ  取っ手    １６ｂ  取っ手  １６ｃ  すき間用テープ
ｓ１  リミットスイッチ          ｓ１ａ  リミットスイッチ
ｓ２  リミットスイッチ          ｓ２ａ  リミットスイッチ
【図１】
0003170851.tif 000003
【図２】
0003170851.tif 000004
【図３】
0003170851.tif 000005
【図４】
0003170851.tif 000006
【図５】
0003170851.tif 000007
【図６】
0003170851.tif 000008
【図７】
0003170851.tif 000009
【図８】
0003170851.tif 000010